(57)【要約】【課題】本考案の目的は、血行促進、代謝促進などに有効なチタン素材やゲルマニウム素材を、より簡便な方法で、繊維製品に応用した、健康用編織物を提供することである。【解決手段】上記目的を達成するため、本考案のブレスレットは、（１）  着用時に、肌と直接接触しない部分に、チタン系素材ゲルマニウム乃至素材から選ばれた少なくとも一種の無機物を含有する高分子材料からなる突起状固形物を設けたことを特徴とする、（２）  多重に重ね合わせた編地製品において、重ね合わせた編地の内側に、チタン系素材乃至ゲルマニウム素材から選ばれた少なくとも一種の無機物を含有する高分子材料からなる突起状固形物を設けたことを特徴とする、（３）  （１）、（２）において、健康用編織物が、編地であり、高分子材料がゴムであることを特徴とする。【選択図】      図３
0003102878.tif 000002
【実用新案登録請求の範囲】
【請求項１】
着用時に、直接肌と接触しない部分に、チタン系素材乃至ゲルマニウム素材から選ばれた少なくとも一種の無機物を含有する高分子材料からなる突起状固形物を設けたことを特徴とする健康用編織物。
【請求項２】
多重に重ね合わせた編地製品において、重ね合わせた編地の内側に、チタン系素材乃至ゲルマニウム素材から選ばれた少なくとも一種の無機物を含有する高分子材料からなる突起状固形物を設けたことを特徴とする健康用編織物。
【請求項３】
請求項１、２において、健康用編織物が、編地であることを特徴とする健康用編織物。
【請求項４】
請求項１、２において、高分子材料がゴムであることを特徴とする健康用編織物。
【考案の詳細な説明】
【技術分野】
【０００１】
本考案は、首や手足等に嵌層使用する健康用編織物に関する。
【背景技術】
【０００２】
血行促進、代謝促進のため、最近チタン素材、ゲルマニウム素材が注目されている。これら素材は血行促進、鎮静、吸熱などの作用を有する。そして、これらの作用は、これら素材が皮膚と直接接触しない場合でも有効とされる。
【０００３】
従来、チタン系素材を繊維製品に応用しようとする試みがなされている。即ち、芯・鞘型繊維である複合繊維において、芯には、炭化チタン粉末を含む熱可塑性線状重合体とし、鞘には、炭化チタンを含まない熱可塑性線状重合体からなる繊維を用いる健康用布帛が開示されている（特許文献１）。繊維に応用すれば、ふくらはぎ、ひざなど、腕輪等では困難であった広範な体の部位に適用可能となる利点がある。
しかし、炭化チタンを含む芯・鞘型繊維は、製造に際して、炭化チタンの粒子の分散が重要で、ノズル詰まりや、フィルタ詰まりを起こしやすく、芯・鞘型繊維の安定生産が難しい難点がある。
【０００４】
【特許文献１】：特開２００３−１９２１２号公報
【考案の開示】
【考案が解決しようとする課題】
【０００５】
本考案の目的は、血行促進、代謝促進などに有効なチタン素材やゲルマニウム素材を、より簡便な方法で、繊維製品に応用した、健康用編織物を提供することである。
【課題を解決するための手段】
【０００６】
上記目的を達成するため、本考案の健康用編織物は、
（１）  着用時に、直接肌と接触しない部分に、チタン系素材乃至ゲルマニウム素材から選ばれた少なくとも一種の無機物を含有する高分子材料からなる突起状固形物を設けたことを特徴とする、
（２）  多重に重ね合わせた編地製品において、重ね合わせた編地の内側に、チタン系素材乃至ゲルマニウム素材から選ばれた少なくとも一種の無機物を含有する高分子材料からなる突起状固形物を設けたことを特徴とする、
（３）  （１）、（２）において、健康用編織物が、編地であることを特徴とする、
（４）  （１）、（２）において、高分子材料がゴムであることを特徴とする。
【０００７】
本考案では、チタン系素材、ゲルマニウム系素材から選ばれた少なくとも一種の無機物が使用される。無機物としては、チタン系素材、ゲルマニウム素材、トルマリン、モナザイト、バイオセラミックスをあげることができる。
ここに、チタン系素材としては、金属チタンあるいはチタンを含有するチタン化合物、チタン合金である。チタン化合物としては、酸化チタン、炭化チタン、窒化チタンなどである。チタン合金としては、銅、スズ、鉄、アルミニウム、クロム、コバルト、モリブデン、タングステンなどの金属とチタンの合金をあげることができる。
そして、これらのチタン系素材は、好ましくは、粒子の形で使用される。ゴムなどとの混合が容易になるからである。  
【０００８】
本考案で用いるゲルマニウム素材としては、ゲルマニウムをおそらくは化合物の形で含有するゲルマニウム鉱物である。
ゲルマニウム化合物としては、酸化ゲルマニウムなどである。
【０００９】
本考案では、ゲルマニウム素材、チタン素材とトルマリンを併用することができる。トルマリンは、別名電気石といわれ主成分として、Ａｌ、Ｂ、Ｓｉを有する。
種類としは、ショールトルマリン、リチアトルマリン、ドラバイトトルマリンがある。トルマリンはモース硬度７〜７．５、比重３〜３．３の六方晶系の鉱石である。トルマリンの特徴は、特有のマイナスイオンを作り出し、体質改善に有効とされることである。
【００１０】
本考案では、ゲルマニウム素材、チタン素材と、モナザイトを併用することができる。モナザイトは、トリウム鉱石の一種で、花崗岩ペグマタイト（巨晶）中に産出する。褐色柱状又は板状の結晶で透明感がある。ウラニウムを含み、放射線で長石を赤くし、石英を黒く変色させる性質がある。また本考案では、リン酸カルシウムなどのバイオセラミックスを併用することもできる。
【００１１】
本考案で使用される高分子化合物としては、エポキシ樹脂、ブチラール樹脂など接着性に優れた樹脂や、ゴムを使用することができる。しかし、変形しやすいゴムの方が、肌を刺激する可能性が小さく好ましい。ゴムとしては、シリコンゴム、ウレタンゴム、ブチルゴムなどをあげることができる。
【００１２】
本考案の健康用編織物作成に使用される繊維としては、ポリエステル繊維、ナイロン６繊維、ナイロン６６繊維、アクリル繊維、木綿などをあげることができる。また、健康用編織物は、使用に際して身体に合うことが好ましく、一般には、編物が好ましく、特に伸縮性に優れたたゴム編み、幅方向に伸縮性が大きい横網が好ましい。
【００１３】
チタン系素材乃至ゲルマニウム素材から選ばれた少なくとも一種の無機物を含有する高分子材料からなる突起状固形物は、肌と接しない反対側の表面に作成される。肌と接する側に形成されると、突起状固形物が肌を、物理的に刺激しやすく、好ましくないからである。
【００１４】
チタン系素材乃至ゲルマニウム素材から選ばれた少なくとも一種の無機物を含有する高分子材料からなる突起状固形物が、肌を刺激しないようにするには、編織物を多重に折り重ね、折り重なっている内面に、該突起状固形物を形成することで可能である。
【考案を実施するための最良の形態】
【００１５】
以下に、本考案の一実施例に就いて、説明する。
まず、突起状固形物形成のため、次の組成の原料を配合する。ここに「部」とは、重量部である。
未加硫のシリコン生ゴム                    ６５．５部
シリコンゴム硬化剤                          ０．５部
トルマリン                                  ７    部
モナザイト                                  ６    部
バイオセラミックス                          ７    部
ゲルマニウム                                ６    部
チタン                                      ８    部
合計                                    １００    部
を混合し、加工剤組成物Ａを作成する。
【００１６】
次に、図１に示すように、ナイロン６からなる靴下編みの編地１を作成する。なお、編地の両端は、ほつれ防止処理のためのすくい縫２が施してある。次に、図２に示すように上記加工剤組成物Ａを、編地１の表面に一定間隔をおいて滴下し、加硫処理して突起状固形物３作成する。次に、図３に示すように編地１の折返し部分を、折曲げ線４の位置まで裏返せば、本考案による健康用編織物Ａ５が得られる。なお、使用に際しては、図３に示した健康用編織物Ａは、裏返して使用することが好ましい。裏返した端の折曲げ線４が見え、外観を損ねるからである。
図４は、健康用編織物Ａ５を足のサポータと使用した例を示している。
編地の幅方向に対する伸縮性のため、足は幅方向に締め付けられ、突起状固形物の作用効果が働く。
【００１７】
図５は、健康用編織物Ａ５の断面図である。図６は、突起状固形物３を編織物１の端部に形成させ、折返し部６の側に突起状固形物３を形成したときの健康用編織物Ｂ７の断面図である。
【００１８】
未加硫のシリコン生ゴム                    ７３．５部
シリコンゴム硬化剤                          ０．５部
トルマリン                                  ７    部
モナザイト                                  ６    部
バイオセラミックス                          ７    部
ゲルマニウム                                ６    部
合計                                    １００    部
を混合し、加工剤組成物Ｂを作成する。加工剤組成物Ｂを用いて同様に健康用編織物Ｃが作成される。
【００１９】
未加硫のシリコン生ゴム                    ７２．５部
シリコンゴム硬化剤                          ０．５部
モナザイト                                  ６    部
バイオセラミックス                          ７    部
ゲルマニウム                                ６    部
チタン                                      ８    部
合計                                    １００    部
を混合し、加工剤組成物Ｃを作成する。加工剤組成物Ｃを用いて同様に健康用編織物Ｄが作成される。
【００２０】
本考案の健康用編織物は、リスト（手首）、アーム（肘）、ひざ、ふくらはぎなどのサポータや、ヘヤーバンドなどに使用できる。  
以上の説明によって明らかな様に、本考案による健康用編織物は以下のような効果を有する。
（ａ）  ゲルマニウム鉱物の効果により、自律神経の調整などの作用を有する。また半導体の特性から体内の活性酸素と結合し体外に運び出す効果が期待される。
（ｂ）  トルマリン鉱物の効果により、特有のマイナスイオンを作り出し体質改善効果が期待される。
（ｃ）  チタン素材の効果により、血行促進、代謝促進、鎮静、吸熱などの効果を有し、健康増進に有用である。
（ｄ）  ゲルマニウム素材乃至チタン素材などを含む突起状固形物により適度の刺激が与えられ、健康によい。
【図面の簡単な説明】
【００２１】
【図１】本考案で使用する編織物の斜視図である。
【図２】突起状固形物を付着した状態における中間製品の斜視図である。
【図３】本考案による健康用編織物Ａの斜視図である。
【図４】本考案による健康用編織物を着用した状態における斜視図である。
【図５】本考案の健康用編織物Ａの断面図である。
【図６】本考案の健康用編織物Ｂの断面図である。
【符号の説明】
【００２２】
１    編織物
２    すくい縫
３    突起状固形物
４    折曲げ線
５    健康用編織物Ａ
６    折曲げ部
７    健康用編織物Ｂ
【図１】
0003102878.tif 000003
【図２】
0003102878.tif 000004
【図３】
0003102878.tif 000005
【図４】
0003102878.tif 000006
【図５】
0003102878.tif 000007
【図６】
0003102878.tif 000008